(57)【要約】      （修正有）【課題】構造が簡単になり、幅が異なる２種類の電子カードが挿入可能なカードコネクタを提供する。【解決手段】本カードコネクタは、第１電子カード及び第１電子カードの幅より大きい幅を具備する第２電子カードが挿入される。カードコネクタは、絶縁性本体２と、前記絶縁性本体２に挿入される複数の導電端子と、弾力端子７とを備える。絶縁性本体２は、接触面と、接触面から内へ凹む、前記第１、第２電子カードを収納するための収納スペースとを含む。導電端子には、前記第１、第２電子カードと接触するための接触部が設けられる。弾力部材は、前記第２電子カードに押圧される主体部と、主体部の一端から延在して絶縁性本体に固定される固定部７４と、主体部の側部から下向きに延在する制限部７２０とを含む。前記第１電子カードは、弾力部材の制限部７２０に当接し、前記制限部７２０によって側方向の移動が制限される。【選択図】図２
0003148538.tif 000002
【実用新案登録請求の範囲】
【請求項１】
第１電子カード及び第１電子カードの幅より大きい幅を具備する第２電子カードが挿入されるカードコネクタであって、
接触面と、該接触面から内方に凹んだ、前記第１、第２電子カードを収納するための収納スペースとを含む絶縁性本体と、
前記絶縁性本体に挿入され、前記第１、第２電子カードと接触するための接触部が設けられる複数の導電端子と、
前記第２電子カードに押圧される主体部と、該主体部の一端から延在して絶縁性本体に固定される固定部と、前記主体部の側部から下向きに延在する制限部とを含む弾力部材と、
を備え、前記第１電子カードは、前記弾力部材の制限部に当接し、前記制限部によって側方方向の移動が制限されることを特徴とするカードコネクタ。
【請求項２】
前記絶縁性本体には前記収納スペースを貫通して前記弾力部材を収納するための収納溝が形成され、前記弾力部材には前記主体部の他端から前記接触面に向かって傾斜して延在する導入部が設けられ、前記収納溝には前記導入部が当接する階段部が設けられることを特徴とする請求項１に記載のカードコネクタ。
【請求項３】
前記主体部が固定部を支点として上下に移動可能であって、前記第２電子カードが挿入される時、該第２電子カードは、前記主体部を下向きに押圧して前記収納スペースに挿入されることを特徴とする請求項２に記載のカードコネクタ。
【請求項４】
前記カードコネクタは前記絶縁性本体を覆う遮蔽部材を含み、前記遮蔽部材が、前記収納スペースを覆う頂面と、該頂面から前記収納スペースに向かって延在する押圧片を設けられ、前記押圧片には、前記収納スペースに向かって延在して前記第２電子カードに弾性的に当接する突出部が設けられることを特徴とする請求項３に記載のカードコネクタ。
【請求項５】
前記弾力部材の主体部の幅は前記導入部の幅より大きいことを特徴とする請求項２に記載のカードコネクタ。
【請求項６】
前記絶縁性本体は底壁と一対の側壁とを含み、前記収納スペースが前記一対の側壁の間に形成され、前記一対の側壁には、それぞれ前記収納スペースと前記収納溝とを貫通して、前記第２電子カードを導入するための導入溝が形成され、前記弾力部材が前記導入溝に配置されることを特徴とする請求項２に記載のカードコネクタ。
【請求項７】
前記制限部は、前記主体部の側部から垂直に延在することを特徴とする請求項１に記載のカードコネクタ。
【請求項８】
前記弾力部材は前記接触面の両側に配置されて金属材料によって製造される一対の弾力端子を含み、前記第１電子カードが挿入される時、前記一対の弾力端子の制限部の間に制限されることを特徴とする請求項１に記載のカードコネクタ。
【考案の詳細な説明】
【技術分野】
【０００１】
本考案は、コンピュータ、デジタルカメラ等各種電子機器に使用される電子カードが挿入されるカードコネクタに関するものである。
【背景技術】
【０００２】
従来技術のカードコネクタとして、特許文献１に開示されたカードコネクタが知られ、このカードコネクタは、第１電子カードと、第１電子カードの幅より小さい第２電子カードとが挿入される。カードコネクタは、絶縁性本体と、前記絶縁性本体に挿入される複数の導電端子と、前記絶縁性本体を覆う遮蔽部材とを備える。前記絶縁性本体は、接触面と、一対の側壁と、側壁に形成され、電子カードを導入ための導入溝と、第２電子カードを制限するための制限機構とを備える。制限機構には、バネ体を固定するための軸部が設けられる。制限機構には、凹口が形成される。第２電子カードが凹口に沿って収納スペースに挿入される。
【特許文献１】中国実用新案第２８５７２６６号明細書
【考案の開示】
【考案が解決しようとする課題】
【０００３】
特許文献１に示す制限機構の構造は複雑であり、制限機構の取付が難しい。
【０００４】
そこで本考案は、上述の従来技術の問題に鑑み、構造が簡単になり、幅が異なる２種類の電子カードを挿入可能なカードコネクタを提供することを目的とする。
【課題を解決するための手段】
【０００５】
本考案のカードコネクタには、第１電子カード及び第１電子カードの幅より大きい幅を具備する第２電子カードが挿入される。カードコネクタは、絶縁性本体と、前記絶縁性本体に挿入される複数の導電端子と、弾力端子とを備える。絶縁性本体は、接触面と、接触面から内側へ凹む、前記第１、第２電子カードを収納するための収納スペースとを含む。導電端子には、前記第１、第２電子カードと接触するための接触部が設けられる。弾力部材は、前記第２電子カードに押圧される主体部と、主体部の一端から延在して絶縁性本体に固定される固定部と、主体部の側部から下向きに延在する制限部とを含む。前記第１電子カードは、弾力部材の制限部に当接し、前記制限部によって側方方向の移動が制限される。
【考案の効果】
【０００６】
従来の技術に比較して本考案は以下の効果を有する。絶縁性本体に装着される弾力部材の構造が簡単になる。前記第２電子カードが弾力部材の導入によって絶縁性本体に挿入され、前記第１電子カードが弾力部材によって制限される。これにより、幅が異なる多種類の電子カードは、弾力部材によって絶縁性本体に固着できる。
【考案を実施するための最良の形態】
【０００７】
以下、この考案の実施の形態を添付の図を参照して説明する。
【０００８】
図２、図８〜図１１を参照すると、カードコネクタ１００は、第２電子カード８２と、第２電子カード８２の幅より小さい第１電子カード８１が挿入される。カードコネクタ１００は、絶縁性本体２と、絶縁性本体２に挿入される複数の端子と、絶縁性本体２を覆う遮蔽部材３とを備える。第１、第２電子カード８１，８２には、複数の導電片８０が設けられる。
【０００９】
図１〜図１１に示すように、絶縁性本体１は、接触面２７と、後壁２０と、頂壁２５と、頂壁２５と対向する底壁２４と、第１、第２側壁２１，２２と、これら壁によって包囲される収納スペース２６とを備える。後壁２０には、複数の第１端子溝２０１が形成される。底壁２４には、複数の第２端子溝２０２が形成される。頂壁２５には、複数の第３端子溝２０３が形成される。第１、第２側壁２１，２２には、第１、第２側壁２１，２２の外部から内向きに凹む、前記収納スペース２６と貫通する第１、第２凹溝２１０、２２０が形成される。第１、第２側壁２１，２２の内側には、前記底壁２４を貫通する第１、第２収納溝２１１，２２１が形成される。第１、第２収納溝２１１，２２１の前端には、導入溝２３が形成される。
【００１０】
端子は、第１、第２、第３、第４導電端子４１，４２，４３，４４と、第１、第２検出端子５，６と、弾力端子７とを含む。各第１〜第４導電端子４１〜４４は、基部４５と、基部４５の前端に設けられる接触部４６と、基部４５の後端に設けられる半田接続部４７とを備える。第１検出端子５は、第１接続部５１と、第１固持部５２とを有する。第２検出端子６は、第２接続部６１と、第２固持部６２とを有する。図１１を参照すると、弾力端子７は、金属材料によって製造され、主体部７２と、主体部７２の両端から傾斜して延在する導入部７１と湾曲部７３と、導入部７１に設けられる当接部７０と、湾曲部７３から後向きに延在する固定部７４とを具備する。主体部７２の両側には、垂直に下向きに延在する一対の制限部７２０が設けられる。主体部７２の幅は、導入部７１の幅より大きい。
【００１１】
遮蔽部材３は、頂面３０と、頂面３０から延在する第１、第２側面３１，３２とを含む。第１側面３１には、弾性を有する第１弾力片３１０と、阻止片３１１とが設けられる。第２側面３２には、弾性を有する第２弾力片３２０が設けられる。頂面３０の内側面には、押圧片３０１と、細長い突出部３０１０が設けられる。第２検出端子６の幅が第１弾力片３１０の幅と略同一である。
【００１２】
図１〜図６に示すように、カードコネクタ１００を取り付ける時、先ず、第１導電端子４１が絶縁性本体２の第３端子溝２０３に挿入される。第１導電端子４１の接触部４６が収納スペース２６に向かって突出する。第２、第３導電端子４２，４３が絶縁性本体２の第２端子溝２０２に挿入される。第２導電端子４２の接触部４６が、第１導電端子４１の接触部４６より、接触面２７に接近する。第３導電端子４３の接触部４６が、第２導電端子４２の接触部４６より、接触面２７に接近する。第１導電端子４１の接触部４６が、上方から下向きに収納スペース２６に向かって突出する。第２、第３、第４導電端子４２，４３，４４の接触部４６は、下方から上向きに収納スペース２６に向かって突出する。第１、第２検出端子５，６は、第１、第２凹溝２１０，２２０に収納される。第１検出端子５の第１固持部５２は、第１側壁２１に固持され、絶縁性本体２から延出して回路基板と電気接続する。第１検出端子５の第１接続部５１が、遮蔽部材３の阻止片３１１に接近する。第２検出端子６の第２固持部６２は、第２側壁２２に固持され、絶縁性本体２から延出して回路基板と電気接続する。
【００１３】
図１１を参照すると、一対の弾力端子７は、絶縁性本体２の第１、第２収納溝２１１，２２１に収納される。弾力端子７の固定部７４が、絶縁性本体２に固着される。弾力端子７の当接部７０が、絶縁性本体２の第１、第２収納溝２１１、２２１に形成される階段部２１１１，２２１１に当接する。弾力端子７は、固定部７４を支点として上下に移動できる。最後に、遮蔽部材３は、絶縁性本体２を覆う。遮蔽部材３の第１、第２側面３１，３２は、絶縁性本体２の第１、第２側壁２１，２２を覆う。遮蔽部材３の第１、第２弾力片３１０，３２０は、絶縁性本体２の第１、第２凹溝２１０，２２０と対応する。
【００１４】
第１電子カード８１が、弾力端子７の制限部７２０に沿って収納スペース２６に収納される。第１電子カード８１の両側が一対の弾力端子７の制限部７２０の間に制限される。第２電子カード８２が、弾力端子７の導入部７１に沿って主体部７２を当接する。弾力端子７が固定部７４を支点として下向きに移動する。第２電子カード８２が主体部７２を押圧するとともに、収納スペース２６に挿入される。遮蔽部材３の押圧片３０１の突出部３０１０が第２電子カード８２の上表面を当接する。
【００１５】
本実施状態において、第１、第２電子カード８１，８２は、それぞれＭＳカード，ＭＳ  Ｄｕｏカードである。他の実施状態において、第１、第２電子カード８１，８２は、ＳＤカードである。ＳＤカードが絶縁性本体２の導入溝２３に沿って挿入される時、ＳＤカードの前端が第２検出端子６の第２接続部６１に接触するとともに、第２検出端子６が第２弾力片３２０に接触する。これにより、第２検出端子６が第２弾力片３２０と電気接続することによって、ＳＤカードが所定の位置まで到達したことを検出できる。前記絶縁性本体２の第１側壁２１には、ＳＤカードが所定の位置まで到達したことを検出できる第１検出端子５が配置される。ＳＤカードの一側にはスライド溝（図示せず）が形成される。スライド溝には移動可能なスライダ部材（図示せず）が配置される。ＳＤカードが所定の位置まで挿入される時、スライダ部材は第１検出端子５の第１接触部５１を押圧する。第１検出端子５は阻止片３１１と電気接続する。
【００１６】
第１、第２電子カード８２が収納スペース２６に挿入される時、第１弾力片３１０の自由端及び第２検出端子６の第２接触部６１が収納スペース２６に向かって延在する。第１、第２電子カード８１，８２は、第１弾力片３１０及び第２検出端子６に係合されることによって、カードコネクタ１００に安定して固着される。
【００１７】
以上、本考案について、最良の実施の形態を参照して詳細に説明したが、実施形態はあくまでも例示的なものであり、これらに限定されるものではない。また前記の説明、本考案に基づきなし得る細部の修正或いは変更などは、いずれも本考案の実用新案登録請求の範囲に属するものである。
【図面の簡単な説明】
【００１８】
【図１】本考案のカードコネクタの組立斜視図である。
【図２】本考案のカードコネクタの別の組立斜視図である。
【図３】図１に示すカードコネクタの部分分解斜視図である。
【図４】図２に示すカードコネクタの別の部分分解斜視図である。
【図５】図１に示すカードコネクタの分解斜視図である。
【図６】図２に示すカードコネクタの別の分解斜視図である。
【図７】本考案の第１電子カードの斜視図である。
【図８】図７に示す第１電子カードの別の斜視図である。
【図９】本考案の第２電子カードの斜視図である。
【図１０】図９に示すカードコネクタの別の斜視図である。
【図１１】図５に示す弾力端子の斜視図である。
【符号の説明】
【００１９】
１００  カードコネクタ
２  絶縁性本体
２０  後壁
２０１  第１端子溝
２０２  第２端子溝
２０３  第３端子溝
２１  第１側壁
２１０  第１凹溝
２１１  第１収納溝
２２  第２側壁
２２０  第２凹溝
２２１  第２収納溝
２３  導入溝
２４  底壁
２５  頂壁
２６  収納スペース
３  遮蔽部材
３０１  押圧片
３０１０  突出部
３１０  第１弾力片
３１１  阻止片
３２  第２側面
３２０  第２弾力片
３２００  当接部
４１  第１導電端子
４２  第２導電端子
４３  第３導電端子
４４  第４導電端子
４５  基部
４６  接触部
４７  半田接続部
５  第１検出端子
５１  第１接続部
５２  第１固持部
６  第２検出端子
６１  第２接続部
６２  第２固持部
７  弾力端子
７０  当接部
７１  導入部
７２  主体部
７２０  制限部
７３  湾曲部
７４  固定部
８１  第１電子カード
８２  第２電子カード
【図１】
0003148538.tif 000003
【図２】
0003148538.tif 000004
【図３】
0003148538.tif 000005
【図４】
0003148538.tif 000006
【図５】
0003148538.tif 000007
【図６】
0003148538.tif 000008
【図７】
0003148538.tif 000009
【図８】
0003148538.tif 000010
【図９】
0003148538.tif 000011
【図１０】
0003148538.tif 000012
【図１１】
0003148538.tif 000013